(57)【特許請求の範囲】
【請求項１】
撮像レンズを介して受光した被写体像を画像信号に変換する撮像手段と、
前記画像信号に基づいて被写体像を表示する表示手段と、
入射した被写体像を接眼部に導く光学式ビューファインダと、
前記光学式ビューファインダの光路中に配置されたシャッタ手段であって、領域毎に遮光状態と非遮光状態とを切り替え可能なシャッタ手段と、
前記シャッタ手段を通過した被写体像と前記表示手段に表示された被写体像とを重畳する重畳手段と、
前記画像信号から被写体像の白とび領域及び、又は、黒つぶれ領域を検出する検出手段と、
前記シャッタ手段を制御する制御手段であって、前記検出された領域に対応する被写体の被写体像が入射する領域を非遮光状態とし、それ以外の領域を遮光状態とする制御手段と、
を備えるファインダ。
【請求項２】
前記検出手段が被写体像の白とび領域を検出すると、前記表示手段は前記白とび領域を表示しない請求項１に記載のファインダ。
【請求項３】
前記検出手段が被写体像の白とび領域を検出すると、前記表示手段は前記白とび領域を黒色に置換して表示する請求項１に記載のファインダ。
【請求項４】
前記画像信号に基づいて、前記光学式ビューファインダに入射した被写体像と前記表示手段に表示された被写体像との色差を算出する色差算出手段を備え、
前記制御手段は、前記算出された色差が予め決められた値以上の場合は、全領域を遮光状態とする請求項１から３のいずれか１項に記載のファインダ。
【請求項５】
前記色差算出手段は、前記画像信号のホワイトバランスに基づいて前記色差を算出する請求項４に記載のファインダ。
【請求項６】
前記光学式ビューファインダと前記撮像手段との視差を補正して前記表示手段に被写体像を表示させる補正手段を備える請求項１から５のいずれか１項に記載のファインダ。
【請求項７】
前記シャッタ手段は液晶シャッタであり、前記非遮光状態は透過した状態である請求項１から６のいずれか１項に記載のファインダ。
【請求項８】
前記液晶シャッタの解像度は、前記表示手段の解像度と等しい請求項７に記載のファインダ。
【請求項９】
請求項１から８のいずれか１項に記載のファインダと、
撮影者が撮影指示を入力するレリーズボタンと、
前記レリーズボタンにより撮影指示が入力されると、前記撮像手段から画像信号を取得し、前記画像信号に基づく撮影画像を取得する撮影手段と、
前記取得した撮影画像を記録する画像記録手段と、
を備える撮像装置。
【請求項１０】
撮像レンズを介して受光した被写体像を画像信号に変換する撮像手段と、前記画像信号に基づいて被写体像を表示する表示手段と、入射した被写体像を接眼部に導く光学式ビューファインダと、前記光学式ビューファインダの光路中に配置されたシャッタ手段であって、領域毎に遮光状態と非遮光状態とを切り替え可能なシャッタ手段と、前記シャッタ手段を通過した被写体像と前記表示手段に表示された被写体像とを重畳する重畳手段とを備えたファインダの表示方法であって、
前記画像信号から被写体像の白とび領域及び、又は、黒つぶれ領域を検出する検出工程と、
前記シャッタ手段の各領域について、前記検出された領域に対応する被写体の被写体像が入射する領域を非遮光状態とし、それ以外の領域を遮光状態とする制御工程と、
を備えるファインダの表示方法。
【発明の詳細な説明】
【技術分野】
【０００１】
本発明は、撮像装置、ファインダ及びその表示方法に係り、特に光学式ビューファインダと電子ビューファインダを併用する技術に関する。
【背景技術】
【０００２】
カメラの撮影範囲を示すビューファインダには、光学式ビューファインダ（以下ＯＶＦ（Optical View Finder）という）と電子ビューファインダ（以下ＥＶＦ（Electronic View Finder）という）の２通りの方式がある。ＯＶＦは、入射した被写体光を光学系を通して撮影者に見せるものであり、ＥＶＦは、入射した被写体光を撮像素子により画像信号に変換した後、この画像信号に基づく映像を液晶モニタ等により表示して撮影者に見せるものである。【０００３】
特許文献１には、ＯＶＦとＥＶＦとを切り替えて、同一のファインダに被写体像を表示すると共に、撮像状態等に応じて２つのファインダを切り替えることができる電子撮像装置が開示されている。【０００４】
また、特許文献２には、ＯＶＦとＥＶＦとの切り替えが可能なカメラにおいて、激しく明暗差のある撮影シーンである場合には、光学ファインダー（ＯＶＦ）の表示を行うように切り替える技術が開示されている。
【先行技術文献】
【特許文献】
【０００５】
【特許文献１】特開２００７−２８３９０号公報
【特許文献２】特開２０１０−２４７５号公報
【発明の概要】
【発明が解決しようとする課題】
【０００６】
このようなＯＶＦとＥＶＦとを切り替え可能なデジタルカメラのファインダにおいて、正確に撮影画角を確認して撮影するには、ＥＶＦが適している。しかし、ＥＶＦでは、被写体の条件によっては白とびや黒つぶれが発生し、白とびや黒つぶれの領域が視認できないという課題があった。【０００７】
本発明は、このような事情に鑑みてなされたもので、ＥＶＦの苦手なシーンをＯＶＦで補助することができる撮像装置、ファインダ及びその表示方法を提供することを目的とする。
【課題を解決するための手段】
【０００８】
上記目的を達成するために、ファインダの一の態様は、撮像レンズを介して受光した被写体像を画像信号に変換する撮像手段と、画像信号に基づいて被写体像を表示する表示手段と、入射した被写体像を接眼部に導く光学式ビューファインダと、光学式ビューファインダの光路中に配置されたシャッタ手段であって、領域毎に遮光状態と非遮光状態とを切り替え可能なシャッタ手段と、シャッタ手段を通過した被写体像と表示手段に表示された被写体像とを重畳する重畳手段と、画像信号から被写体像の白とび領域及び、又は、黒つぶれ領域を検出する検出手段と、シャッタ手段を制御する制御手段であって、検出された領域に対応する被写体の被写体像が入射する領域を非遮光状態とし、それ以外の領域を遮光状態とする制御手段とを備えた。【０００９】
本態様によれば、画像信号から被写体像の白とび領域及び／又は黒つぶれ領域を検出し、検出された領域に対応する被写体の被写体像が入射する領域を非遮光状態とし、それ以外の領域を遮光状態とするように光学式ビューファインダの光路中に配置されたシャッタ手段を制御するので、ＥＶＦの苦手なシーンをＯＶＦで補助することができる。【００１０】
検出手段が被写体像の白とび領域を検出すると、表示手段は白とび領域を表示しないことが好ましい。【００１１】
また、検出手段が被写体像の白とび領域を検出すると、表示手段は白とび領域を黒色に置換して表示してもよい。【００１２】
これにより、適切に白とび領域を補助表示することができる。【００１３】
画像信号に基づいて、光学式ビューファインダに入射した被写体像と表示手段に表示された被写体像との色差を算出する色差算出手段を備え、制御手段は、算出された色差が予め決められた値以上の場合は、全領域を遮光状態とすることが好ましい。【００１４】
これにより、違和感のある補助表示を回避することができる。【００１５】
色差算出手段は、画像信号のホワイトバランスに基づいて色差を算出してもよい。これにより、適切に色差を算出することができる。【００１６】
光学式ビューファインダと撮像手段との視差を補正して表示手段に被写体像を表示させる補正手段を備えることが好ましい。【００１７】
これにより、適切に補助表示をすることができる。【００１８】
シャッタ手段は液晶シャッタであり、非遮光状態は透過した状態であることが好ましい。これにより、適切に遮光状態と非遮光状態とを切り替えることができる。【００１９】
液晶シャッタの解像度は、表示手段の解像度と等しいことが好ましい。これにより、適切に白とび領域や黒つぶれ領域を補助表示することができる。【００２０】
上記目的を達成するために、撮像装置の一の態様は、上記に記載のファインダと、撮影者が撮影指示を入力するレリーズボタンと、レリーズボタンにより撮影指示が入力されると、撮像手段から画像信号を取得し、画像信号に基づく撮影画像を取得する撮影手段と、取得した撮影画像を記録する画像記録手段とを備えた。【００２１】
本態様によれば、ＥＶＦの苦手なシーンをＯＶＦで補助することができる。【００２２】
上記目的を達成するために、ファインダの表示方法の一の態様は、入射した被写体像を接眼部に導く光学式ビューファインダと、光学式ビューファインダの光路中に配置されたシャッタ手段であって、領域毎に遮光状態と非遮光状態とを切り替え可能なシャッタ手段と、撮像レンズを介して受光した被写体像を画像信号に変換する撮像手段と、画像信号に基づいて被写体像を表示する表示手段と、光学式ビューファインダに入射し、シャッタ手段を通過した被写体像と表示手段に表示された被写体像とを重畳する重畳手段とを備えたファインダの表示方法であって、画像信号から被写体像の白とび領域及び、又は、黒つぶれ領域を検出する検出工程と、シャッタ手段の各領域について、検出された領域に対応する被写体の被写体像が入射する領域を非遮光状態とし、それ以外の領域を遮光状態とする制御工程とを備えた。
【発明の効果】
【００２３】
本発明によれば、ＥＶＦの苦手なシーンをＯＶＦで補助することができる。
【図面の簡単な説明】
【００２４】
【図１】デジタルカメラの外観構成を示す正面斜視図
【図２】デジタルカメラの外観構成を示す背面斜視図
【図３】デジタルカメラの上面断面図
【図４】第１の実施形態に係るデジタルカメラの電気的構成を示すブロック図
【図５】第１の実施形態に係るファインダの表示処理を示すフローチャート
【図６Ａ】ＣＣＤによって撮影された画像の一例を示す図
【図６Ｂ】液晶シャッタの透過状態と遮光状態とを示す図
【図６Ｃ】液晶板の表示を示す図
【図６Ｄ】ファインダ接眼部から視認される画像を示す図
【図７】第２の実施形態に係るデジタルカメラの電気的構成を示すブロック図
【図８】第２の実施形態に係るファインダの表示処理を示すフローチャート
【図９Ａ】ＣＣＤによって撮影された画像の一例を示す図
【図９Ｂ】液晶シャッタの透過状態と遮光状態とを示す図
【図９Ｃ】液晶板の表示を示す図
【図９Ｄ】ファインダ接眼部から視認される画像を示す図
【図１０】第３の実施形態に係るデジタルカメラの電気的構成を示すブロック図
【図１１】第３の実施形態に係るファインダの表示処理を示すフローチャート
【図１２】デジタル一眼レフカメラの外観構成を示す正面斜視図
【図１３】デジタル一眼レフカメラの外観構成を示す背面斜視図
【図１４】デジタル一眼レフカメラの側面断面図
【発明を実施するための形態】
【００２５】
以下、添付図面に従って本発明の好ましい実施の形態について詳説する。
【００２６】
〔第１の実施形態〕
図１、図２は、それぞれ本実施形態に係るデジタルカメラ１０の外観構成を示す正面斜視図と背面斜視図である。
【００２７】
同図に示すように、本実施の形態のデジタルカメラ１０は、カメラ本体１２と、そのカメラ本体１２に取り付けられた撮影レンズ１４とを含んでいる。撮影レンズ１４は、レンズ側マウントとカメラ側マウントにより着脱自在に構成してもよい。
【００２８】
カメラ本体１２の正面には、ＡＦ補助光ランプ１６、ファインダ切り替えレバー１８、ファインダ対物部２０、グリップ２２等が設けられている。カメラ本体１２の上面には、シャッタボタン（レリーズボタン）２４、電源レバー２６、露出補正ダイヤル３０、シャッタスピードダイヤル３１、アクセサリーシュー３４、ストロボ３６等が設けられている。
【００２９】
また、カメラ本体１２の背面には、ファインダ接眼部３８、コマンドレバー４０、液晶モニタ３２、十字ボタン４８、ＲＡＷボタン５０、バックボタン５２、ＡＥ選択ボタン５４、ＡＦ選択ボタン５６、再生ボタン５８等が設けられている。
【００３０】
被写体像の確認は、ファインダ接眼部３８を介して行われる。このファインダ接眼部３８を覗くことにより、撮影者は被写体像を観察することができる。シャッタボタン２４は全押しと半押しからなる２段式となっており、半押し時にＡＥ（Automatic Exposure）及びＡＦ（Automatic Focus adjustment）動作を行い、全押し時に本撮影を行う。本撮影では、撮影により得られた画像（本撮影画像）がメモリカード（図４の２４０）に記録される。また、メモリカードに記録した画像は、カメラのモードを再生モードに設定することにより（本実施の形態では、再生ボタン５８の押下）、液晶モニタ３２に再生表示される。
【００３１】
図３は、デジタルカメラ１０の上面断面図である。同図に示すように、デジタルカメラ１０は、ＣＣＤ（Charge Coupled Device）１００、液晶板１１０、ＥＶＦレンズ１１２、対物レンズ１２０、プリズム１２２、接眼レンズ１２４、液晶シャッタ１２６、ファインダ窓１２８等を備えている。
【００３２】
撮影レンズ１４を透過した被写体光は、ＣＣＤ１００の受光面に入射する。被写体光を受光したＣＣＤ１００は、２次元配列された各センサにより入射光量に応じた量の信号電荷に変換する。この信号電荷から、各種信号処理回路により画像信号が生成される。このように生成された画像信号に基づいて、被写体像を左右反転した画像が液晶板１１０に表示される。
【００３３】
液晶板１１０は、例えば１６００×９００画素の解像度を有する液晶パネルである。液晶板１１０には、被写体像を反転した画像とともに、撮影レンズ１４の焦点距離（画角）に基づいて、撮影範囲を示すフレームが表示される。
【００３４】
液晶板１１０の図面下方には、ＥＶＦレンズ１１２が設けられている。またＥＶＦレンズ１１２と接眼レンズ１２４との間には、プリズム１２２が配置されている。
【００３５】
プリズム１２２は、第１プリズム１２２ａと第２プリズム１２２ｂとから構成されている。第１プリズム１２２ａと第２プリズム１２２ｂとが接合する部分には、ハーフミラー面１２２Ｍが形成されている。このハーフミラー面１２２Ｍは、ＥＶＦレンズ１１２の光軸に対して４５°傾けられて設置される。液晶板１１０に表示された画像は、ＥＶＦレンズ１１２によって拡大され、ハーフミラー面１２２Ｍによって左右が反転されて図面右方向に反射される。ハーフミラー面１２２Ｍによって反射された画像（正立正像）は、接眼レンズ１２４に入射する。
【００３６】
ファインダ対物部２０には、撮影レンズ１１４とは異なる経路（光路）から被写体光が入射する。ファインダ対物部２０には、ファインダ窓１２８から被写体光が入射する。ファインダ窓１２８の光路後段には、液晶シャッタ１２６及び対物レンズ１２０が順に配置されている。
【００３７】
液晶シャッタ１２６は、ファインダ窓１２８から入射した被写体光の光軸と垂直となるように、ファインダ窓１２８及び対物レンズ１２０と平行に配置されている。液晶シャッタ１２６は、一対の基板間に封止された液晶層を有し、液晶層に印加する電圧により偏光方向が変化する液晶パネルである。
【００３８】
液晶シャッタ１２６は、液晶板１１０の表示解像度と同じ解像度（本実施形態では、１６００×９００画素の解像度）を有している。液晶シャッタ１２６は、表示制御回路２４２（図４参照）の制御により、ファインダ窓１２８から入射した被写体光を遮光する遮光状態と、被写体光を透過させる透過状態（非遮光状態）とを画素毎に切り替え可能に構成されている。
【００３９】
上記のように構成された液晶シャッタ１２６の全領域（全画素）を透過状態とすると、撮影レンズ１１４とは異なる光路からファインダ対物部２０に入射した被写体光は、液晶シャッタ１２６を介して対物レンズ１２０に入射し、さらにハーフミラー面１２２Ｍを透過し、接眼レンズ１２４に入射する。対物レンズ１２０には凹レンズ、接眼レンズ１２４には凸レンズが用いられており、逆ガリレオタイプのファインダを構成している。
【００４０】
このように、デジタルカメラ１０は、ファインダ対物部２０から入射した被写体光をファインダ接眼部３８に導くＯＶＦを備えると共に、液晶板１１０に表示された映像をファインダ接眼部３８に導くＥＶＦを備えている。そして、両者がハーフミラー面１２２Ｍにより同一光路上に配置されることで、その映像が重畳されてファインダ接眼部３８へ導かれる。即ち、この２つのファインダは、撮影者が重畳された映像を観察可能なハイブリッドファインダとして機能する。
【００４１】
なお、デジタルカメラ１０の場合、撮影レンズ１４とＣＣＤ１００とを備えるＥＶＦの撮像部と、ファインダ対物部２０とファインダ接眼部３８とを備えるＯＶＦとは、光軸が異なり、視差を有している。したがって、ＣＣＤ１００が受光した被写体像に基づいて生成された画像信号をそのまま液晶板１１０に表示させると、同一被写体であってもＯＶＦの映像内とＥＶＦの画像内の位置が異なってしまう。即ち、同一被写体の位置が一致するようにＯＶＦの映像とＥＶＦの画像とを重畳表示させるためには、視差の補正を行う必要がある。
【００４２】
視差の補正を行うためには、まずデジタルカメラ１０と各被写体との距離を測定する。各被写体との距離は、例えば、位相差ＡＦ方式を用いることが考えられる。位相差ＡＦ方式は、被写体からの光を対となる測距センサで取得し、それら測距センサの出力の位相差から三角測量により被写体との距離を算出するものである。なお、上記と異なる方法によって各被写体との距離を測定してもよい。
【００４３】
次に、画像信号処理回路２３４（図４参照）において、上記のように算出したデジタルカメラ１０と各被写体との距離に基づいて、予め生成しておいた撮影画像（ＣＣＤ１００によって撮影された画像）の各被写体を、ＯＶＦの映像の同一被写体の位置と一致するように移動させる。
【００４４】
このように生成した画像を液晶板１１０に表示させると、ＯＶＦの映像の各被写体の位置とＥＶＦの画像の各被写体の位置とが一致した状態で、ファインダ接眼部３８に導かれる。
【００４５】
また、ＯＶＦの光学系（対物レンズ１２０及び接眼レンズ１２４）とＥＶＦの光学系（撮影レンズ１４）との画角が異なる場合は、画角の差に基づいてＣＣＤ１００によって撮影された画像を拡大又は縮小して液晶板１１０に表示すればよい。
【００４６】
〔カメラの電気的構成〕
図４は、デジタルカメラ１０の電気的構成を示すブロック図である。同図に示すように、デジタルカメラ１０は、液晶モニタ３２、ＣＣＤ１００、液晶板１１０、液晶シャッタ１２６、ＣＰＵ２１０、操作部（シャッタボタン、電源レバー、露出補正ダイヤル、シャッタスピードダイヤル、コマンドレバー、十字ボタン、バックボタン、再生ボタン等の各種操作ボタン）２１２、ＲＯＭ（Read-Only Memory）２１６、ＥＥＰＲＯＭ（Electrically Erasable Programmable Read-Only Memory）２１８、メモリ（ＳＤＲＡＭ（Synchronous Dynamic Random Access Memory））２２０、ＶＲＡＭ（Video Random Access Memory）２２２、タイミングジェネレータ（ＴＧ）２２６、アナログ信号処理回路２２８、Ａ／Ｄ変換器２３０、画像入力コントローラ２３２、画像信号処理回路２３４、圧縮・伸張処理回路２３６、メディアコントローラ２３８、メモリカード２４０、表示制御回路２４２を含んでいる。
【００４７】
ＣＰＵ２１０は、カメラ本体１２に装着された撮影レンズ１４を含め、デジタルカメラ１０全体の動作を統括制御する制御部として機能する。ＣＰＵ２１０は、操作部２１２からの入力に基づき所定の制御プログラムに従ってデジタルカメラ１０の各部を制御する。
【００４８】
ＲＯＭ２１６には、このＣＰＵ２１０が実行する制御プログラム及び制御に必要な各種データ等が格納されている。ＥＥＰＲＯＭ２１８には、ユーザ設定情報等のデジタルカメラの動作に関する各種設定情報等が格納されている。
【００４９】
メモリ（ＳＤＲＡＭ）２２０は、ＣＰＵ２１０の演算作業用領域として利用されると共に、画像データの一時記憶領域として利用される。ＶＲＡＭ２２２は、表示用の画像データ専用の記憶領域として利用される。
【００５０】
ＣＣＤ１００は、撮影レンズ１４の後段に配置されており、撮影レンズ１４を透過した被写体光を受光する。ＣＣＤ１００は、多数の受光素子がマトリクス状に配列された受光面を備えている。撮影レンズ１４を透過した被写体光は、このＣＣＤ１００の受光面上に結像され、各受光素子によって電気信号に変換される。なお、撮像素子としては、ＣＣＤ１００に限らず、ＣＭＯＳ（Complementary Metal Oxide Semiconductor）を用いてもよい。
【００５１】
このＣＣＤ１００は、タイミングジェネレータ（ＴＧ）２２６から供給される垂直転送クロック及び水平転送クロックに同期して、各画素に蓄積された電荷を１ラインずつシリアルな画像信号として出力する。ＣＰＵ２１０は、ＴＧ２２６を制御して、ＣＣＤ１００の駆動を制御する。
【００５２】
なお、各画素の電荷蓄積時間（露出時間）は、ＴＧ２２６から与えられる電子シャッタ駆動信号によって決められる。ＣＰＵ２１０は、ＴＧ２２６に対して電荷蓄積時間を指示する。
【００５３】
また、画像信号の出力は、デジタルカメラ１０が撮影モードにセットされると開始される。すなわち、デジタルカメラ１０が撮影モードにセットされると、液晶モニタ３２にスルー画像を表示するため、画像信号の出力が開始される。このスルー画像用の画像信号の出力は、本撮影の指示が行われると一旦停止され、本撮影が終了すると再度開始される。
【００５４】
ＣＣＤ１００から出力される画像信号は、アナログ信号であり、このアナログの画像信号は、アナログ信号処理回路２２８に取り込まれる。
【００５５】
アナログ信号処理回路２２８は、相関二重サンプリング回路（ＣＤＳ（Correlated Double Sampling））、及び自動ゲインコントロール回路（ＡＧＣ（Automatic Gain Control））を含んでいる。ＣＤＳは、画像信号に含まれるノイズの除去を行う。ＡＧＣは、ノイズ除去された画像信号を所定のゲインで増幅する。このアナログ信号処理回路２２８で所要の信号処理が施されたアナログの画像信号は、Ａ／Ｄ変換器２３０に取り込まれる。
【００５６】
Ａ／Ｄ変換器２３０は、取り込んだアナログの画像信号を所定ビットの階調幅を持ったデジタルの画像信号に変換する。この画像信号は、いわゆるＲＡＷデータであり、画素毎のＲ、Ｇ、Ｂの濃度を示す階調値を有している。
【００５７】
画像入力コントローラ２３２は、所定容量のラインバッファを内蔵しており、Ａ／Ｄ変換器２３０から出力された１コマ分の画像信号を蓄積する。この画像入力コントローラ２３２に蓄積された１コマ分の画像信号は、バス２１４を介してメモリ（ＳＤＲＡＭ）２２０に格納される。
【００５８】
バス２１４には、上記ＣＰＵ２１０、メモリ２２０、画像入力コントローラ２３２、画像信号処理回路２３４、圧縮・伸張処理回路２３６、表示制御回路２４２、メディアコントローラ２３８等が接続されており、これらはバス２１４を介して互いに情報を送受信できるようにされている。
【００５９】
メモリ２２０に格納された１コマ分の画像信号は、点順次（画素の順番）に画像信号処理回路２３４に取り込まれる。
【００６０】
画像信号処理回路２３４は、点順次に取り込んだＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。
【００６１】
また、画像信号処理回路２３４には白とび検出回路２５０が接続されている。この白とび検出回路２５０は、メモリ２２０に格納された画像信号から画素の輝度値が飽和している画素、即ち被写体の白とび領域を検出する。なお、輝度値が飽和時の輝度値未満の所定値以上の領域を白とび領域として検出してもよい。
【００６２】
圧縮・伸張処理回路２３６は、ＣＰＵ２１０からの指令に従って画像信号処理回路２３４で生成された画像データに所定の圧縮処理を施し、圧縮画像データを生成する。また、圧縮された画像データに所定の伸張処理を施して、非圧縮の画像データを生成する。
【００６３】
メディアコントローラ２３８は、ＣＰＵ２１０からの指令に従い、撮影により得られた画像データをメモリカード２４０に記録し、また、記録済み画像をメモリカード２４０から読み出す。
【００６４】
表示制御回路２４２は、ＣＰＵ２１０からの指令に従い液晶モニタ３２及び液晶板１１０への表示を制御する。また、詳細は後述するが、液晶シャッタ１２６を制御する。
【００６５】
以上のように構成されたデジタルカメラ１０の、一般的な画像記録の手順について説明する。
【００６６】
シャッタボタン２４が全押しされることによりＣＰＵ２１０に撮影指示が入力されると、ＣＰＵ２１０は所要の撮影制御を行って、ＣＣＤ１００で一コマ分の画像を撮像する。
【００６７】
ＣＣＤ１００において撮像された一コマ分のＲ、Ｇ、Ｂの画像信号は、アナログ信号処理回路２２８、Ａ／Ｄ変換器２３０、画像入力コントローラ２３２を介してメモリ２２０に格納され、メモリ２２０から画像信号処理回路２３４に加えられる。画像信号処理回路２３４は、入力された画像信号に対して所要の信号処理を施して、輝度データと色差データとからなる画像データを生成する。
【００６８】
生成された画像データは、メモリ２２０に一旦格納された後、圧縮・伸張処理回路２３６に加えられ、所定の圧縮処理が施された後、メモリ２２０に再度格納される。
【００６９】
ＣＰＵ２１０は、このメモリ２２０に格納された圧縮画像データに対して所定の撮影情報を付加した所定フォーマットの画像ファイルを生成し、メディアコントローラ２３８を介してメモリカード２４０に記録する。
【００７０】
このようにしてメモリカード２４０に記録された画像データは、再生指令に応じてメモリカード２４０から読み出され、液晶モニタ３２に再生表示される。すなわち、再生ボタンによりＣＰＵ２１０に再生指示が入力されると、ＣＰＵ２１０は、メディアコントローラ２３８を介してメモリカード２４０に最後に記録された画像ファイルの圧縮画像データを読み出す。読み出された圧縮画像データは、圧縮・伸張処理回路２３６に加えられ、非圧縮の画像データとされたのちＶＲＡＭ２２２に格納される。そして、このＶＲＡＭ２２２に格納された画像ファイルが表示制御回路２４２に加えられ、モニタ表示用の信号形式に変換されて液晶モニタ３２に出力される。これにより、メモリカード２４０に記録されている画像が液晶モニタ３２に再生表示される。
【００７１】
また、十字ボタン等によって画像のコマ送りが指示されると、次の画像がメモリカード２４０から読み出され、液晶モニタ３２に再生表示される。また、コマ戻しが指示されると、一つ前の画像がメモリカード２４０から読み出され、液晶モニタ３２に再生表示される。
【００７２】
〔ファインダの表示処理・第１の実施形態〕
図５は、第１の実施形態に係るファインダの表示処理を示すフローチャートである。
【００７３】
まず、デジタルカメラ１０に設定されたファインダモードが、ＯＶＦであるか、ＥＶＦであるかを判定する（ステップＳ１）。デジタルカメラ１０は、ファインダ切り替えレバー１８により、ＯＶＦモードとＥＶＦモードとを切り替えることが可能となっている。ユーザは、ファインダ切り替えレバー１８を操作することにより、所望のファインダモードを選択することができる。
【００７４】
ＯＶＦモードに設定されている場合は、ＯＶＦ表示を行う（ステップＳ２）。即ち、表示制御回路２４２は、液晶シャッタ１２６の全領域を透過状態とする。これにより、ファインダ対物部２０から入射した被写体光がファインダ接眼部３８に導かれる。また、液晶板１１０に、フレーム枠の他、絞り、シャッタスピード、撮影感度（ＩＳＯ感度）、露出補正バー、撮影可能枚数等の補助情報を表示させる。これにより、液晶板１１０に表示された補助情報がファインダ接眼部３８に導かれる。
【００７５】
したがって、ユーザは、ファインダ接眼部３８を覗くことによって、ファインダ対物部２０から入射した被写体光を、液晶板１１０に表示された補助情報とともに視認することができる。
【００７６】
これに対し、ＥＶＦモードに設定されている場合、白とび検出回路２５０は、ＣＣＤ１００によって撮影されメモリ２２０に格納された画像信号から、飽和している画素を検出する（ステップＳ３）。
【００７７】
飽和している画素が無い場合は、表示制御回路２４２は、液晶シャッタ１２６の全領域を遮光状態とし（ステップＳ４）、通常のＥＶＦ表示を行う（ステップＳ５）。ここで、液晶板１１０に表示された画像は、ハーフミラー面１２２Ｍにより左右反転されてファインダ接眼部３８に導かれる。したがって、表示制御回路２４２は、液晶板１１０に、ＣＣＤ１００によって撮影され、メモリ２２０に格納された画像信号を左右反転させて表示させる。
【００７８】
これにより、ユーザは、ファインダ接眼部３８を覗くことによって、ＥＶＦ画像を視認することができる。このとき、液晶板１１０に補助情報を同時に表示してもよい。
【００７９】
一方、ステップＳ３の判定において、飽和している画素がある場合について、図６Ａから図６Ｄを用いて説明する。図６Ａは、ＣＣＤ１００によって撮影された画像３００の一例を示す図である。この画像３００は室内において撮影された画像であり、ここでは外光が入射した窓ガラス部分に対応する領域の各画素が飽和しているものとする。白とび検出回路２５０は、この飽和領域３０２ａ、３０２ｂ、及び３０２ｃを検出する。
【００８０】
図６Ａのように飽和領域が検出された場合は、ステップＳ６に移行する。ステップＳ６では、表示制御回路２４２は、ＯＶＦとＥＶＦとの視差を考慮し、液晶シャッタ１２６の画素のうち、検出された飽和領域に対応する被写体の被写体光が入射する画素を透過状態とし、それ以外の画素を遮光状態とする。即ち、ファインダ対物部２０から入射した被写体光のうち、白とびした被写体に対応する領域だけが透過し、それ以外の領域は遮光されるように、液晶シャッタ１２６が制御される。
【００８１】
図６Ｂは、液晶シャッタ１２６の全領域（ファインダ接眼部３８において視認可能な領域）３１０において、図６Ａに示す画像３００の飽和領域３０２ａ、３０２ｂ、及び３０２ｃに対応する被写体の被写体光が入射する領域３１２ａ、３１２ｂ、及び３１２ｃを透過状態とし、その他の領域を遮光状態とした様子を示す図である。
【００８２】
さらに、表示制御回路２４２は、ＥＶＦ表示を行う（ステップＳ７）。ここで、液晶板１１０に表示された画像は、ハーフミラー面１２２Ｍにより左右反転されてファインダ接眼部３８に導かれる。したがって、液晶板１１０は、ＣＣＤ１００によって撮影された画像を左右反転して表示する。
【００８３】
このとき、表示制御回路２４２は、ＣＣＤ１００の飽和領域３０２ａ、３０２ｂ、及び３０２ｃに対応する被写体の表示を行わない。表示を行わないのでは無く、黒色に置換して表示させてもよい。
【００８４】
図６Ｃは、ＣＣＤ１００の飽和領域３０２ａ、３０２ｂ、及び３０２ｃに対応する被写体の領域３２２ａ、３２２ｂ、及び３２２ｃを黒色に置換して、画像３００を液晶板１１０に左右反転表示させた画像３２０を示した図である。
【００８５】
このように液晶板１１０に表示された画像３２０は、ハーフミラー面１２２Ｍによって左右が反転され、接眼レンズ１２４に入射する。
【００８６】
一方、ファインダ対物部２０に入射した被写体光は、液晶シャッタ１２６の領域３１２ａ、３１２ｂ、及び３１２ｃに入射した被写体光だけが液晶シャッタ１２６を透過し、それ以外の領域は遮光される。液晶シャッタ１２６の領域３１２ａ、３１２ｂ、及び３１２ｃを透過した被写体光は、対物レンズ１２０、ハーフミラー面１２２Ｍを透過し、接眼レンズ１２４に入射する。
【００８７】
このように、液晶板１１０に表示され、ハーフミラー面１２２Ｍにより左右反転された画像に、液晶シャッタ１２６の領域３１２ａ、３１２ｂ、及び３１２ｃを透過し、さらに対物レンズ１２０及びハーフミラー面１２２Ｍを透過した被写体光が重畳される。
【００８８】
図６Ｄは、ファインダ接眼部３８から視認される画像３３０を示した図である。同図に示すように、領域３３２ａ、３３２ｂ、及び３３２ｃについては、液晶板１１０では黒に置換して表示しており、さらに液晶シャッタ１２６を透過させているため、ＯＶＦの映像が視認できる。したがって、この領域３３２ａ、３３２ｂ、及び３３２ｃの被写体は白とびしておらず、被写体を適切に確認することができる。
【００８９】
また、領域３３２ａ、３３２ｂ、及び３３２ｃ以外の領域については、ＯＶＦの映像は液晶シャッタ１２６により遮光されているために、ＥＶＦ（液晶板１１０）の画像が視認できる。
【００９０】
このように、本実施形態によれば、重畳表示可能なＯＶＦとＥＶＦを有するカメラにおいてＥＶＦ表示をする際に、ＥＶＦの白とび領域についてＯＶＦで補助表示させることができるので、ＥＶＦでは視認することができない白とびした被写体を視認することができる。
【００９１】
本実施形態では、液晶シャッタ１２６は、液晶板１１０の解像度と同じ解像度を有していたが、液晶板１１０の解像度よりも低解像度であってもよい。この場合は、白とびとなる領域の一部をＯＶＦ表示すればよい。
【００９２】
〔第２の実施形態〕
図７は、第２の実施形態に係るデジタルカメラ１０の電気的構成を示すブロック図である。なお、図４に示すブロック図と共通する部分には同一の符号を付し、その詳細な説明は省略する。
【００９３】
本実施形態に係るデジタルカメラ１０は、白とび検出回路２５０の代わりに黒つぶれ検出回路２６０を備えている。黒つぶれ検出回路２６０は、メモリ２２０に格納された画像信号から輝度値が所定値未満の画素、即ち被写体の黒つぶれ領域を検出する。
【００９４】
図８は、本実施形態に係るファインダの表示処理を示すフローチャートである。
【００９５】
第１の実施形態と同様に、デジタルカメラ１０に設定されたファインダモードが、ＯＶＦであるか、ＥＶＦであるかを判定する（ステップＳ１１）。ＯＶＦモードに設定されている場合は、ＯＶＦ表示を行う（ステップＳ１２）。即ち、表示制御回路２４２は、液晶シャッタ１２６の全領域を透過状態とする。また、液晶板１１０に補助情報を表示させる。
【００９６】
ＥＶＦモードに設定されている場合は、黒つぶれ検出回路２６０は、ＣＣＤ１００によって撮影されメモリ２２０に格納された画像信号から、輝度値が所定値未満の画素を検出する（ステップＳ１３）。
【００９７】
輝度値が所定値未満の画素が無い場合は、表示制御回路２４２は、液晶シャッタ１２６の全領域を遮光状態とし（ステップＳ１４）、通常のＥＶＦ表示を行う（ステップＳ１５）。ここで、液晶板１１０に表示された画像は、ハーフミラー面１２２Ｍにより左右反転されてファインダ接眼部３８に導かれる。したがって、表示制御回路２４２は、液晶板１１０に、ＣＣＤ１００によって撮影され、メモリ２２０に格納された画像信号を左右反転させて表示させる。
【００９８】
これにより、ファインダ対物部２０から入射した被写体光は液晶シャッタ１２６により遮光され、液晶板１１０に表示された画像だけがハーフミラー面１２２Ｍにより左右反転されてファインダ接眼部３８に導かれる。
【００９９】
したがって、ユーザは、ファインダ接眼部３８を覗くことによって、ＥＶＦ画像を視認することができる。このとき、液晶板１１０に補助情報を同時に表示してもよい。
【０１００】
一方、ステップＳ１３の判定において、飽和している画素がある場合について、図９Ａから図９Ｄを用いて説明する。図９Ａは、ＣＣＤ１００によって撮影された画像３４０の一例を示す図である。この画像３４０は明るい屋外において撮影された画像であり、ここでは人物部分に対応する領域の各画素が逆光のために輝度値が所定値未満となっている、即ち黒つぶれしているものとする。黒つぶれ検出回路２６０は、この黒つぶれ領域３４２を検出する。
【０１０１】
図９Ａのように黒つぶれ領域が検出された場合は、ステップＳ１６に移行する。ステップＳ１６では、表示制御回路２４２は、ＯＶＦとＥＶＦとの視差を考慮し、液晶シャッタ１２６の画素のうち、検出された黒つぶれ領域に対応する被写体の被写体光が入射する画素を透過状態とし、それ以外の画素を遮光状態とする。即ち、ファインダ対物部２０から入射した被写体光のうち、黒つぶれした被写体に対応する領域だけが透過し、それ以外の領域は遮光されるように、液晶シャッタ１２６が制御される。
【０１０２】
図９Ｂは、液晶シャッタ１２６の全領域３５０において、図９Ａに示す画像３４０の黒つぶれ領域３４２に対応する被写体の被写体光が入射する領域３５２を透過状態とし、その他の領域を遮光状態とした様子を示す図である。
【０１０３】
さらに、表示制御回路２４２は、ＥＶＦ表示を行う（ステップＳ１７）。ここで、液晶板１１０に表示された画像は、ハーフミラー面１２２Ｍにより左右反転されてファインダ接眼部３８に導かれる。したがって、液晶板１１０は、ＣＣＤ１００によって撮影された画像を左右反転して表示する。
【０１０４】
図９Ｃは、画像３４０を左右反転させて液晶板１１０に表示させた画像３６０を示した図である。ここでは、黒つぶれ領域３４２に対応する領域３６２は、ＯＶＦ補助表示を行う際に支障が無いため、そのまま表示すればよい。なお、領域３６２の表示を行わない態様も可能である。
【０１０５】
このように液晶板１１０に表示された画像は、ハーフミラー面１２２Ｍによって左右が反転され、接眼レンズ１２４に入射する。
【０１０６】
一方、ファインダ対物部２０に入射した被写体光は、液晶シャッタ１２６の領域３５２に入射した被写体光だけが液晶シャッタ１２６を透過し、それ以外の領域は遮光される。液晶シャッタ１２６の領域３５２を透過した被写体光は、対物レンズ１２０、ハーフミラー面１２２Ｍを透過し、接眼レンズ１２４に入射する。
【０１０７】
このように、液晶板１１０に表示され、ハーフミラー面１２２Ｍにより左右反転された画像に、液晶シャッタ１２６の領域３５２を透過し、対物レンズ１２０及びハーフミラー面１２２Ｍを透過した被写体光が重畳される。
【０１０８】
図９Ｄは、ファインダ接眼部３８から視認される画像を示した図である。同図に示すように、領域３７２については液晶シャッタ１２６を透過させているため、ＯＶＦの映像が視認できる。したがって、この領域３７２の被写体は黒つぶれしておらず、被写体を適切に確認することができる。
【０１０９】
また、領域３７２以外の領域については、ＯＶＦの映像は液晶シャッタ１２６により遮光されているために、ＥＶＦ（液晶板１１０）の画像が視認できる。
【０１１０】
このように、本実施形態によれば、重畳表示可能なＯＶＦとＥＶＦを有するカメラにおいてＥＶＦ表示をする際に、ＥＶＦの黒つぶれ領域についてＯＶＦで補助表示させることができるので、ＥＶＦでは視認することができない黒つぶれした被写体を視認することができる。
【０１１１】
第１の実施形態では白とび領域に対応する液晶シャッタ１２６の領域を透過状態とし、第２の実施形態では黒つぶれ領域に対応する液晶シャッタ１２６の領域を透過状態としたが、両方を組み合わせてもよい。即ち、白とび検出回路２５０及び黒つぶれ検出回路２６０の両方を備え、ＣＣＤ１００の撮影画像から白とび領域及び黒つぶれ領域を検出し、検出した白とび領域及び黒つぶれ領域に対応する液晶シャッタ１２６の領域を透過状態としてもよい。
【０１１２】
このように構成することで、白とび領域と黒つぶれ領域の両方をＯＶＦで補助表示することができ、ユーザが適切に被写体を視認することができる。
【０１１３】
〔第３の実施形態〕
図１０は、第３の実施形態に係るデジタルカメラ１０の電気的構成を示すブロック図である。なお、図７に示すブロック図と共通する部分には同一の符号を付し、その詳細な説明は省略する。
【０１１４】
本実施形態に係るデジタルカメラ１０は、図７に示すブロック図に加え、色差判定回路２７０を備えている。色差判定回路２７０は、メモリ２２０に格納された画像信号からホワイトバランスを算出することで、ＯＶＦの被写体像とＥＶＦの被写体像との色差を算出し、算出した色差が予め決められた値よりも小さいか否かを判定する。
【０１１５】
図１１は、本実施形態に係るファインダの表示処理を示すフローチャートである。なお、ファインダモードがＯＶＦである場合（ステップＳ１１においてＯＶＦ）の処理、及びファインダモードがＥＶＦであって、黒つぶれ領域が無い場合（ステップＳ１３においてＮｏ）の処理は、図８に示すフローチャートと同様であるので、詳細な説明は省略する。
【０１１６】
ステップＳ１１においてファインダモードがＥＶＦと判定された場合は、黒つぶれ検出回路２６０は、ＣＣＤ１００によって撮影されメモリ２２０に格納された画像信号から、輝度値が所定値未満の画素を検出する（ステップＳ１３）。
【０１１７】
ここで、黒つぶれ領域が検出された場合、色差判定回路２７０は、ＯＶＦとＥＶＦの色差が小さいか否かを判定する（ステップＳ２１）。
【０１１８】
デジタルカメラ１０は、白色の被写体が撮影画像において白色として再現されるように、画像信号処理回路２３４において、光源種に応じたデジタルゲインをかけるホワイトバランス調整を行っている。したがって、ＯＶＦの被写体像とＥＶＦの被写体像では、ホワイトバランス調整された分だけ色差が発生する。
【０１１９】
色差判定回路２７０は、メモリ２２０に格納された画像信号からホワイトバランス（ホワイトバランス補正値）を算出し、算出したホワイトバランスからＯＶＦとＥＶＦとの色差を算出し、算出した色差が予め決められた値よりも小さいか否かを判定する。
【０１２０】
ＯＶＦとＥＶＦとの色差が予め決められた値よりも小さい場合は、表示制御回路２４２は、液晶シャッタ１２６の画素のうち、ＣＣＤ１００の黒つぶれしている領域に対応する画素を透過状態とし、それ以外の画素を遮光状態とし（ステップＳ１６）、液晶板１１０に、ＣＣＤ１００によって撮影された画像を左右反転して表示させてＥＶＦ表示を行う（ステップＳ１７）。
【０１２１】
これにより、液晶板１１０に表示され、ハーフミラー面１２２Ｍにより左右反転された画像に、液晶シャッタ１２６の透過状態の領域を透過した被写体光が重畳される。
【０１２２】
一方、ＯＶＦとＥＶＦとの色差が予め決められた値よりも大きい場合は、表示制御回路２４２は、液晶シャッタ１２６の全領域を遮光状態とし（ステップＳ１４）、通常のＥＶＦ表示を行う（ステップＳ１５）。
【０１２３】
これにより、黒つぶれ領域は、そのまま黒つぶれのままＥＶＦ表示される。
【０１２４】
ＯＶＦとＥＶＦとの色差が大きい場合に、黒つぶれ領域にＯＶＦの補助表示をさせると、ＥＶＦ表示領域とＯＶＦ補助表示領域とで色味が異なり、違和感のある画像となってしまうおそれがある。したがって、ＯＶＦとＥＶＦとの色差が小さい場合のみ、黒つぶれ領域のＯＶＦ補助表示を行う。
【０１２５】
ここでは、黒つぶれ領域のＯＶＦ補助表示について説明したが、白とび領域の補助表示についても同様である。即ち、飽和領域がある場合に、ＯＶＦとＥＶＦの色差の大きさを判断し、色差が小さい場合のみ、白とび領域のＯＶＦ補助表示を行う。
【０１２６】
このように、ＯＶＦとＥＶＦの色差の大きさを判断して、白とび領域や黒つぶれ領域のＯＶＦ補助表示を行うことで、違和感のある表示を回避することができる。
【０１２７】
なお、ＯＶＦの補助表示を行うか否かの閾値となるステップＳ２１の予め決められた値は、適宜決めることができる。また、ユーザが自由に設定できるように構成してもよい。
【０１２８】
〔第４の実施形態〕
第１〜第３の実施形態のファインダは、ＯＶＦの光軸とＥＶＦの光軸とが異なるカメラに適用されていたが、一眼レフカメラのファインダに適用することも可能である。
【０１２９】
図１２、図１３は、それぞれ本実施形態に係るデジタル一眼レフカメラ４１０の外観構成を示す正面斜視図と背面斜視図である。
【０１３０】
同図に示すように、本実施の形態のデジタル一眼レフカメラ４１０は、カメラ本体４１２と、そのカメラ本体４１２に着脱自在に取り付けられる撮影レンズ４１４を備えている。
【０１３１】
撮影レンズ４１４は、その基端部に設けられたレンズ側マウントをカメラ本体４１２の正面に設けられたカメラ側マウントに装着することにより、カメラ本体４１２に取り付けられる。
【０１３２】
カメラ本体４１２の正面には、このカメラ側マウントに加えて、ＡＦ補助光ランプ４１６、被写界深度確認ボタン４１８、シンクロターミナル４２０、グリップ４２２等が設けられている。カメラ本体４１２の上面には、シャッタボタン４２４、電源レバー４２６、サブコマンドダイヤル４２８、上面表示パネル４３０、モードダイヤル４３２、アクセサリーシュー４３４、ストロボ４３６等が設けられている。
【０１３３】
また、カメラ本体４１２の背面には、ファインダ接眼部４３８、視度調整レバー４４０、液晶モニタ４４２、スロットカバー４４４、背面表示パネル４４６、十字ボタン４４８、メニューボタン４５０、バックボタン４５２、ファンクションボタン４５４、メインコマンドダイヤル４５６、再生ボタン４５８等が設けられている。カメラ本体４１２の右側面には、傾き調整ツマミ等が設けられている。
【０１３４】
被写体像の確認は、ファインダ接眼部４３８を介して行われ、このファインダ接眼部４３８を覗くことにより、撮影者はフォーカシングスクリーン上に投影される被写体像を観察することができる。シャッタボタン４２４は全押しと半押しからなる２段式となっており、半押し時にＡＥ及びＡＦ動作を行い、全押し時に本撮影を行う。本撮影では、撮影により得られた画像がメモリカードに記録される。また、メモリカードに記録した画像は、カメラのモードを再生モードに設定することにより（本実施の形態では、再生ボタン４５８の押下）、液晶モニタ４４２に再生表示される。
【０１３５】
図１４は、デジタル一眼レフカメラ４１０の側面断面図である。同図に示すように、デジタル一眼レフカメラ４１０は、ＣＣＤ５００、液晶板５１０、クイックリターンミラー５２０、フォーカシングスクリーン５２２、接眼レンズ５２６、ペンタプリズム５２４、視野枠５２８、液晶シャッタ５３０を備えている。
【０１３６】
撮影レンズ４１４とＣＣＤ５００の間には、クイックリターンミラー５２０が撮影レンズ４１４の光軸に対して４５°傾けられて設置されている。撮影レンズ４１４を透過した被写体光は、このクイックリターンミラー５２０によって図面上方に反射される。
【０１３７】
クイックリターンミラー５２０の図面上方には、フォーカシングスクリーン５２２、液晶シャッタ５３０、視野枠５２８、及びペンタプリズム５２４が設けられている。クイックリターンミラー５２０によって反射された被写体光は、フォーカシングスクリーン５２２のマット面上に被写体像を左右逆像として結像する。
【０１３８】
液晶シャッタ５３０は、フォーカシングスクリーン５２２と対向して配置され、フォーカシングスクリーン５２２に結像した被写体光を透過させる透過状態と、被写体光を遮光する遮光状態とを領域毎に切り替え可能な液晶パネルである。液晶シャッタ５３０は、後述する液晶板５１０の表示解像度と同じ解像度を有しており、表示制御部の制御により、任意の領域の透過状態／遮光状態を制御可能となっている。
【０１３９】
上記のように構成された液晶シャッタ５３０の全領域を透過状態とすると、フォーカシングスクリーン５２２のマット面上に形成された被写体像は液晶シャッタ５３０を透過し、視野枠５２８によってファインダ視野（ファインダ接眼部４３８から観察できる視野範囲）が規制された後、ペンタプリズム５２４により左右反転され、正立正像とされて、ファインダ接眼部４３８から接眼レンズ５２６で拡大観察される。
【０１４０】
また、クイックリターンミラー５２０は、ハーフミラーで構成されており、被写体光の一部を透過させる。クイックリターンミラー５２０を透過した被写体光の一部は、ＣＣＤ５００の受光面に入射される。
【０１４１】
ＣＣＤ５００の受光面に結像された被写体像は、各センサで光の入射光量に応じた量の信号電荷に変換される。ＣＣＤ５００から読み出された信号電荷は、各種信号処理回路により画像信号が生成される。
【０１４２】
液晶板５１０は、各種の画像を表示することが可能である。例えば、ＣＣＤ５００から出力された画像信号に基づく映像を表示することができる。液晶板５１０に表示された映像は、ペンタプリズム５２４のハーフミラー面５２４Ｍを透過し、フォーカシングスクリーン５２２のマット面上に形成された被写体像とともに接眼レンズ５２６を介してファインダ接眼部３８に導かれ、撮影者が視認することができる。
【０１４３】
なお、前述のデジタルカメラ１０とは異なり、ＣＣＤ５００による撮影画像を液晶板５１０が表示する際には、撮影画像を左右反転する必要は無く、正立正像を表示すればよい。
【０１４４】
このように、デジタル一眼レフカメラ４１０は、撮影レンズ４１４から入射し、クイックリターンミラー５２０によって反射された被写体光である映像をファインダ接眼部４３８に導く一眼レフレックスタイプのＯＶＦを備えると共に、液晶板５１０に表示された映像をファインダ接眼部４３８に導くＥＶＦを備えている。そして、両者が同一光路上に配置されることで、その映像が重畳されてファインダ接眼部４３８へ導かれる。したがって、この２つのファインダは、撮影者が重畳された映像を観察可能なハイブリッドファインダとして機能する。
【０１４５】
また、クイックリターンミラー５２０は、図１４の矢印方向へ撥ね上げ可能に構成されている。クイックリターンミラー５２０は、撮影者によりシャッタボタン４２４が押されることにより撥ね上げられて、撮影光路から退避させられる。その結果、撮影レンズ４１４から入射された被写体光がＣＣＤ５００の受光面に入射され、本撮影が行われる。クイックリターンミラー５２０は、撮影終了後、元の位置に復帰する。
【０１４６】
なお、デジタル一眼レフカメラ４００の電気的構成については、図４、図７、図１０に示すブロック図において、撮影レンズ１４、液晶モニタ３２、ＣＣＤ１００、液晶板１１０、液晶シャッタ１２６をそれぞれ撮影レンズ４１４、液晶モニタ４４２、ＣＣＤ５００、液晶板５１０、液晶シャッタ５３０に置き換えることで同様となるので、説明を省略する。
【０１４７】
このように構成されたデジタル一眼レフカメラ４００において、図５、図８、図１１に示すフローチャートと同様のファインダの表示処理を行うことができる。
【０１４８】
即ち、ＥＶＦ表示をする際に、ＥＶＦの白とび領域及び／又は黒つぶれ領域についてＯＶＦで補助表示させることができるので、ＥＶＦでは視認することができない白とびした被写体及び／又は黒つぶれした被写体を視認することができる。
【０１４９】
また、ＯＶＦとＥＶＦの色差の大きさを判断し、色差が小さい場合のみＯＶＦ補助表示を行うことで、違和感のある表示を回避することができる。
【０１５０】
本発明の技術的範囲は、上記実施の形態に記載の範囲には限定されない。各実施の形態における構成等は、本発明の趣旨を逸脱しない範囲で、各実施の形態間で適宜組み合わせることができる。
【符号の説明】
【０１５１】
１０…デジタルカメラ、１２…カメラ本体、１４…撮影レンズ、２４…シャッタボタン、３８…ファインダ接眼部、３２…液晶モニタ、１００…ＣＣＤ、１１０…液晶板、１１２…ＥＶＦレンズ、１２０…対物レンズ、１２２…プリズム、１２２Ｍ…ハーフミラー面、１２４…接眼レンズ、１２６…液晶シャッタ、２５０…白とび検出回路、２５２…黒つぶれ検出回路、２５４…色差検出回路、３００，３４０…撮影画像、３０２ａ，３０２ｂ，３０２ｃ…飽和領域、３１０，３５０…液晶シャッタ面、３１２ａ，３１２ｂ，３１２ｃ…透過領域、３２０，３６０…表示画像、３２２ａ，３２２ｂ，３２２ｃ…置換領域、３３０，３７０…視認画像、３３２ａ、３３２ｂ、３３２ｃ，３７２…補助表示領域、３４２…黒つぶれ領域
【図１】
0005525659.tif 000002
【図２】
0005525659.tif 000003
【図３】
0005525659.tif 000004
【図４】
0005525659.tif 000005
【図５】
0005525659.tif 000006
【図６Ａ】
0005525659.tif 000007
【図６Ｂ】
0005525659.tif 000008
【図６Ｃ】
0005525659.tif 000009
【図６Ｄ】
0005525659.tif 000010
【図７】
0005525659.tif 000011
【図８】
0005525659.tif 000012
【図９Ａ】
0005525659.tif 000013
【図９Ｂ】
0005525659.tif 000014
【図９Ｃ】
0005525659.tif 000015
【図９Ｄ】
0005525659.tif 000016
【図１０】
0005525659.tif 000017
【図１１】
0005525659.tif 000018
【図１２】
0005525659.tif 000019
【図１３】
0005525659.tif 000020
【図１４】
0005525659.tif 000021